(57)【要約】【課題】電子機器と光源とを一体にして小型化を図ることができるとともに、表示部の視認性向上及び外部物品の効率的な照明とを行う音楽用電子機器を提供する。【解決手段】本発明に係る音楽用電子機器は、所定の情報を表示する表示部を表面に備えた電子機器本体と、前記電子機器本体を外部物品に装着するクリップ部と、前記電子機器本体を前記クリップ部の上面に連結する連結部とを備える音楽用電子機器において、前記連結部は、前記電子機器本体の一端部と接続し、前記電子機器本体の前記一端部と反対側の端部を前記クリップ部の上面から離間させる方向に回動可能とする回転軸を備え、前記電子機器本体は、光を照射する照明部を前記表面と異なる面に備え、前記照明部は、光源を有し、前記一端部と異なる部分に設けられる。【選択図】図１
2014203035.tif 000002
【特許請求の範囲】
【請求項１】
所定の情報を表示する表示部を表面に備えた電子機器本体と、前記電子機器本体を外部物品に装着するクリップ部と、前記電子機器本体を前記クリップ部の上面に連結する連結部とを備える音楽用電子機器において、
前記連結部は、前記電子機器本体の一端部と接続し、前記電子機器本体の前記一端部と反対側の端部を前記クリップ部の上面から離間させる方向に回動可能とする回転軸を備え、
前記電子機器本体は、光を照射する照明部を前記表面と異なる面に備え、
前記照明部は、光源を有し、前記一端部と異なる部分に設けられることを特徴とする音楽用電子機器。
【請求項２】
前記照明部は、前記一端部と反対の端部に設けられることを特徴とする請求項１に記載の音楽用電子機器。
【請求項３】
前記照明部は、前記電子機器本体の裏面に設けられることを特徴とする請求項１又は２に記載の音楽用電子機器。
【請求項４】
前記照明部は、光を出射する出射面を有し、
前記出射面は、前記表面側に向かって傾斜していることを特徴とする請求項１から３のいずれか一項に記載の音楽用電子機器。
【請求項５】
前記回転軸は、前記クリップ部の上面に対して平行に配置され、前記電子機器本体を回動可能とする第１の回転軸と、前記第１の回転軸と直交し、前記クリップ部の上面に対して垂直に配置され、前記電子機器本体を回動可能とする第２の回転軸とを有することを特徴とする請求項１に記載の音楽用電子機器。
【請求項６】
前記クリップ部の前記連結部と接続する部分は、平面で構成されていることを特徴とする請求項５に記載の音楽用電子機器。
【発明の詳細な説明】
【技術分野】
【０００１】
本発明は、音楽の演奏時（演奏開始前）や練習時に用いられる調律装置やメトロノーム等の音楽用電子機器に関するものである。
【背景技術】
【０００２】
従来から、音楽の演奏時や練習時に用いられる音楽用電子機器が知られており、その一例としては、任意の音を入力してその音高情報を基準として調律を行う調律装置が挙げられる。
【０００３】
従来の調律装置として、楽器の発音部近傍を挟持するクリップ部と、調律した結果を表示する表示面を備えた調律装置本体との間に回動可能な継手を設け、表示面が演奏者から視認し易い位置に配置可能な調律装置が提案されている（例えば、特許文献１参照）。
【先行技術文献】
【特許文献】
【０００４】
【特許文献１】特開２００３−２５５９３２号公報
【発明の概要】
【発明が解決しようとする課題】
【０００５】
上記の調律装置を譜面台に設置して使用する場合、ステージなど照明が暗い場所で使用するときには、調律装置に設けられたバックライトや発光ダイオードの光などにより調律装置の表示の視認性を高める工夫がなされている。しかし、譜面台の譜面の視認性を向上するためには、譜面台の譜面用に別途光源を準備する必要があった。また、上記の調律装置のクリップを譜面台に設置した場合、外部照明により譜面台に調律装置の影が映るため、影の部分が見えづらくなってしまうという問題があった。
【０００６】
この発明はこのような課題に鑑みてなされたものであって、音楽用電子機器と光源との一体感のある構成とすることで小型化を図ることができるとともに、表示部の視認性向上及び外部物品の効率的な照明とを行うことを可能にする音楽用電子機器を提供することを目的とする。
【課題を解決するための手段】
【０００７】
上記課題に鑑みて、本発明は以下の手段を提案している。
即ち、本発明に係る音楽用電子機器は、所定の情報を表示する表示部を表面に備えた電子機器本体と、前記電子機器本体を外部物品に装着するクリップ部と、前記電子機器本体を前記クリップ部の上面に連結する連結部とを備える音楽用電子機器において、前記連結部は、前記電子機器本体の一端部と接続し、前記電子機器本体の前記一端部と反対側の端部を前記クリップ部の上面から離間させる方向に回動可能とする回転軸を備え、前記電子機器本体は、光を照射する照明部を前記表面と異なる面に備え、前記照明部は、光源を有し、前記一端部と異なる部分に設けられることを特徴とする。
これにより、音楽用電子機器と光源とを一体にして小型化を図ることができるとともに、表示部の視認性向上及び外部物品の照明とを同時に行うことが可能である。また、照明部は、電気機器本体の連結部と接続する一端部とは異なる部分に配置されているため、電子機器本体が可動した場合に、確実に外部物品へ光を照射することができる。
【０００８】
また、前記照明部は、前記一端部と反対の端部に設けられることを特徴とする。
これにより、照明部は、連結部と接続する一端部から離れた部分である反対の端部に設けられている。そのため、電子機器本体が可動した場合に、より広範囲に光を照射することができる。
【０００９】
また、前記照明部は、前記電子機器本体の裏面に設けられることを特徴とする。
これにより、照明部は、表示部と反対の面に配置される。表示部と外部物品とを同時に視認する場合、表示部と外部物品の視認する面は同じ向きに配置される。そのため、電子機器本体の表面に設けられた表示部を視認しながら、外部物品の視認する面への光の照射を確実に行うことができる。
【００１０】
また、前記照明部は、光を出射する出射面を有し、前記出射面は前記表面側に向かって傾斜していることを特徴とする。
この場合、照明部の光源からの照明方向は、電子機器本体の表面に対して垂直ではなく、傾斜している。これにより、より確実に、表示部を視認しながら外部物品への光の照射を同時に行うことが可能になる。
【００１１】
また、前記回転軸は、前記クリップ部の上面に対して平行に配置され、前記電子機器本体を回動可能とする第１の回転軸と、前記第１の回転軸と直交し、前記クリップ部の上面に対して垂直に配置され、前記電子機器本体を回動可能とする第２の回転軸とを有することを特徴とする。
これにより、回転軸を２つ有することで、照明部９の照明方向の自由度を向上させることができる。すなわち、表示部の視認性を向上するとともに、外部物品の照明を効率的に行うことが可能となる。
また、前記クリップ部の前記連結部と接続する部分は、平面で構成されていることを特徴とする。これにより、電子機器本体が第２の回転軸を中心として回動しやすくなり、照明部の向きをより容易に変更することができる。
【発明の効果】
【００１２】
これにより、電子機器と光源とを一体にして小型化を図ることができるとともに、表示部の視認性向上及び外部物品の効率的な照明とを行うことが可能である。また、照明部は、電気機器本体の連結部と接続する一端部とは異なる部分に配置されているため、電子機器本体が可動した場合に、確実に外部物品へ光を照射することができる。
【図面の簡単な説明】
【００１３】
【図１】第１の実施形態に係る音楽用電子機器の側面図である。
【図２】第１の実施形態に係る音楽用電子機器の上面図である。
【図３】第１の実施形態に係る電子機器本体を第１の回転軸を中心として回動させた状態を示す図である。
【図４】第１の実施形態に係る電子機器本体を第２の回転軸を中心として回動させた状態を示す図である。
【図５】第１の実施形態に係る電子機器本体を第２の回転軸を中心として回動させ、電子機器本体の表裏面を反転させた状態を示す図である。
【図６】第１の実施形態に係る音楽用電子機器を外部物品に装着した状態を示す図である。
【図７】図６における音楽用電子機器を別の角度から表した図である。
【図８】第１の実施形態に係る音楽用電子機器を外部物品に装着した状態を示す図である。
【図９】第２の実施形態に係る音楽用電子機器の側面図である。
【図１０】第２の実施形態に係る電子機器本体を、回転軸を中心として回動させた状態である。
【図１１】第２の実施形態に係る音楽用電子機器を外部物品に装着した状態を示す図である。
【発明を実施するための形態】
【００１４】
本発明に係る音楽用電子機器は、所定の情報を表示する表示部を表面に備えた電子機器本体と、電子機器本体を外部物品に装着するクリップ部と、電子機器本体をクリップ部の上面に連結する連結部とを備える音楽用電子機器において、連結部は、電子機器本体の一端部と接続し、電子機器本体の一端部と反対側の端部をクリップ部の上面から離間させる方向に回動可能とする回転軸を備え、電子機器本体は、光を照射する照明部を表面と異なる面に備え、照明部は、光源を有し、電子機器本体において連結部と接続する一端部と異なる部分に設けられている。
【００１５】
以下、図面を参照して、本発明の音楽用電子機器について説明する。図１は第１の実施形態に係る音楽用電子機器の側面図、図２は音楽用電子機器の上面図である。図３乃至図５は、音楽用電子機器の電子機器本体の動作について説明する図である。
図１に示すように、音楽用電子機器１００は、クリップ部２と、電子機器本体１と、連結部８とを有している。本実施形態において、音楽用電子機器１００は、調律器を構成する。
【００１６】
クリップ部２は、互いに対をなす第１板材及び第２板材と、第１板材及び第２板材と接続するヒンジ部とを有する。このヒンジ部の付勢力によって、例えば譜面台、管楽器やギター等の楽器などの外部物品を挟持することにより、音楽用電子機器１００を外部物品に取り付けるものである。
【００１７】
第１板材は、平板形状に形成され、電子機器本体１と対向配置されている。また、第１部材は、クリップ部２の一端部で、電子機器本体１と連結する連結部８と接続している。
第２部材は、第１部材と対向配置されている。本実施形態において、クリップ部２の一端部は長手方向の端部を示す。また、第１部材と第２部材との間には、外部物品を狭持するための空間が形成されている。
【００１８】
ヒンジ部は、第１板材及び第２板材の長手方向に直交するとともにこれら第１板材の板面に平行な回転軸を有しており、これによって、第１板材及と第２板材とが対向状態を維持しつつ回転軸を支点として互いに相対回動するようになっている。
【００１９】
このヒンジ部は、図示しないバネ等の弾性部材によって第１板材と第２部材とをクリップ部２の一端部で接近させる方向に回動付勢している。これにより、第１板材と第２板材とがクリップ部２の一端部で近接してクリップ部２が閉じた状態とされる。連結部８は、クリップ部２が閉じた状態で近接するこの一端部に接続している。
【００２０】
また、第２板材及び第１板材の一端部と反対の端部を接近させる方向に外力を加えると、第２部材と第１板材とがクリップ部２の一端部において離間し、クリップ部２が開いて外部物品を把持可能な状態となる。
【００２１】
電子機器本体１は、図１及び図２に示すように平板形状に形成されている。すなわち、電子機器本体１は、表面と、表面と反対側に位置する裏面と、表面と裏面との間に位置する側面とで構成される。電子機器本体１の表面には、調律器として機能する際の情報が表示される表示部３が設けられている。この表示部３は、例えばメーター、複数のＬＥＤ、ＬＣＤ表示器などが使用される。また、表示部３は、音名表示部、セント表示部などで構成される。
【００２２】
また、電子機器本体１は、図１に示すように、側面に、電源スイッチ５、入力切替スイッチ６、照明スイッチ７を備えている。電源スイッチ５は、電子機器本体１の電源を制御するためのスイッチであり、照明スイッチ７は、照明部の電源を制御するためのスイッチである。
【００２３】
電子機器本体１の内部には、電気回路や電池とともに楽音入力手段を備える。本実施形態において、楽音入力手段は、振動センサ（図示省略）、内蔵マイク（図示省略）を備えている。入力切替スイッチ６は、楽音入力手段を切替えるスイッチであり、楽音入力手段として振動センサ及び内蔵マイクのいずれかを選択するためのものである。
【００２４】
また、電子機器本体１の裏面は、一端部に形成され、表面に平行な平面と、連結部８と接続する一端部と反対側の端部に形成され、表面側に向かって傾斜する傾斜面とで構成される。本実施形態において、電子機器本体の一端部及び反対の端部は長手方向の端部を示す。
【００２５】
また、クリップ部１の第１部材は、電子機器本体１の裏面に沿って形成されている。すなわち、クリップ部１の第１部材は、一端部に形成された平面と、連結部８と接続する一端部と反対側の端部に形成され、第２部材から離間する方向に向かって傾斜する傾斜面とで構成される。本実施形態において、電子機器本体１の裏面の平面及び第１部材の平面は、連結部８と接続する一端部から、それぞれの傾斜面まで形成されている。図１は、電子機器本体１とクリップ部２の第１部材とが接触している状態である。この状態は、電子機器本体１をクリップ部２に収納した状態となる。
【００２６】
連結部８は、電子機器本体１の一端部と接続する。また、連結部８は、図３に示すように、電子機器本体１の一端部と反対側の端部をクリップ部２の第１部材の上面から離間させる方向に回動可能とする回転軸を有する。この回転軸は、クリップ部２の第１部材の上面に対して平行に配置され、電子機器本体１を回動可能とする第１の回転軸８１と、第１の回転軸８１と直交し、クリップ部２の上面に対して垂直に配置され、電子機器本体１を回動可能とする第２の回転軸８２とを有する。
【００２７】
次に、電子機器本体の動作について説明する。
図３は、電子機器本体を第１の回転軸８１を中心として回動させた状態を示す図である。すなわち、電子機器本体１は、図３に示す矢印の方向に、第１の回転軸８１を中心としてクリップ部２に対して相対回動する。これにより、連結部８と接続する電子機器本体１の一端部と反対側の端部をクリップ部２から離間する。このとき、電子機器本体１がクリップ部２から離間し、電子機器本体１が立ち上がった状態となる。
【００２８】
図４は、電子機器本体を第２の回転軸を中心として回動させた状態を示す図である。また、図５は、電子機器本体を第２の回転軸を中心として回動させ、電子機器本体１の表裏面を反転させた状態を示す図である。すなわち、電子機器本体１をクリップ部２から離間し立ち上がった状態で、図４の矢印方向に、第２の回転軸８２を中心として、電子機器本体１をクリップ部２に対して相対回動させる。
【００２９】
なお、電子機器本体１は、第１の回転軸を中心として回動させず、収納された状態から、第２の回転軸を中心として回動された場合も、クリップ部２の上面から一端部と反対側の端部が離間される。
連結部８が、回転軸を２つ有することで、照明部９の照射方向の自由度を向上させることができる。すなわち、表示部の視認性を向上するとともに、外部物品の照射を効率的に行うことが可能となる。
【００３０】
なお、本実施形態において、連結部８は、回転軸を２つ有しているが、いずれか一方のみ有する構成でもよい。この場合においても、いずれか一方の回転軸により、電子機器本体１の一端部と反対側の端部をクリップ部２の第１部材の上面から離間させる方向に回動する。電子機器本体１をクリップ部２に対して回動させることにより、照明部９が外部物品に光を照射することができる。
【００３１】
また、クリップ部２の連結部８と接続する部分は、平面で構成されている。そのため、電子機器本体１が第２の回転軸８２を中心として回転しやすくなり、照明部の向きを容易に変更することができる。なお、クリップ部２の連結部８と接続する部分のみが、平面で構成されていてもよい。これにより、電子機器本体１が第２の回転軸を中心として回動しやすくなり、照明部の向きをより容易に変更することができる。
【００３２】
第１の回転軸及び第２の回転軸を中心として電子機器本体１を回動させた結果、図５に示すように、電子機器本体１をクリップ部２から離間させた状態で、電子機器本体１の表裏面を反転させた状態となる。
図５に示すように、電子機器本体１は、光を照射する照明部９を裏面に備えている。なお、本実施形態に限らず、電子機器本体１は、照明部９を表面と異なる面に備えていればよい。例えば、電子機器本体１の側面に設けられてもよい。
【００３３】
電子機器本体１の表面に設けられた表示部３と外部物品とを同時に視認する場合、表示部３と外部物品の視認する面は同じ向きに配置される。そのため、電子機器本体１の表面に設けられた表示部３を視認しながら、外部物品の視認する面に光の照射を行うことができる。
【００３４】
照明部９は、光源を有し、電子機器本体１の連結部８と接続する一端部と反対の端部に設けられている。すなわち、照明部９は、クリップ部２を閉じた状態において、第１部材と第２部材とが離間するクリップ部２の反対の端部に対向する位置に配置される。照明部９が連結部８に配置されている場合、照明部９はクリップ部２の連結部８に接続する部分に光を照射する。この場合、照明部９が外部物品に光を照射し難くなる。本実施形態では、照明部９は、連結部８と接続する一端部と反対の端部に設けられているため、クリップ部２の影響を受けずに、外部物品に光を照射することが可能となる。さらに、本実施形態では、照明部９は、連結部８と接続する一端部と離れた反対の端部に設けられているため、電子機器本体１が可動した場合に、より広範囲に照明を行うことができる。
【００３５】
なお、照明部９は、上記一端部と異なる部分に設けられていればよい。この場合においても、連結部８と接続する一端部と異なる部分に設けられているため、クリップ部２の影響を受けずに、外部物品に光を照射することが可能となる。
【００３６】
照明部９は、光を出射する出射面を有している。また、図５に示すように、出射面は、電子機器本体１の裏面の傾斜面に設けられている。すなわち、照明部９の出射面は、電子機器本体１の表面側に向かって傾斜している。この場合、照明部９の光源からの光の出射方向は、電子機器本体１の表面に対して垂直ではなく、傾斜する。電子機器本体１の表面に設けられた表示部３と外部物品とを同時に視認する場合、表示部３と外部物品の視認する面は同じ向きに配置される。そのため、電子機器本体１の表面に設けられた表示部３を視認しながら、外部物品の視認する面に光の照射を確実に行うことができる。
【００３７】
次に、本実施形態の音楽用電子機器１００を外部物品に装着して使用する方法を説明する。図６は、音楽用電子機器を外部物品に装着した状態を示す図である。図７は、図６における音楽用電子機器を別の角度から表した図である。
【００３８】
図６に示す通り、外部物品は、例えば譜面台１０である。譜面台１０に、クリップ部２を装着する前後で、電子機器本体１をクリップ部２に対して、第１の回転軸８１を中心として電子機器本体１が立ち上がった状態にする。合わせて、電子機器本体１をクリップ部２に対して、第２の回転軸８２を中心として電子機器本体１を９０度以上回転させた状態にする。
【００３９】
この状態で、図６に示すように、表示部３と譜面台に設置された譜面とを同時に視認することができる。また、この状態で、図７に示すように、照明部９は譜面に光を照射することができる。
なお、クリップ部２が装着する外部物品と、照明部９が光を照射する外部物品は別の物品でもよい。例えば、クリップ部２は楽器に装着し、照明部９は譜面に光を照射してもよい。
【００４０】
図８は、音楽用電子機器を別の外部物品である楽器１１に装着した状態を示す図である。この場合、電子機器本体１は、第１の回転軸８１を中心として、９０度以下回動させるとともに、第２の回転軸８２を中心として、９０度以下回動させた状態である。
この状態において、表示部３と図示しない譜面台とを同時に視認する場合、照明部９は、電子機器本体１の表面と異なる面に備わっているため、譜面台に光を照射することができる。
【００４１】
すなわち、本実施形態における音楽用電子機器において、音楽用電子機器と光源とを一体にして小型化を図ることができるとともに、表示部の視認性向上及び外部物品の照明とを同時に行うことが可能である。また、照明部は、電気機器本体の連結部と接続する一端部とは異なる部分に配置されているため、電子機器本体が可動した場合に、確実に外部物品に光を照射することができる。
【００４２】
図９乃至図１１を用いて、第２の実施形態に係る音楽用電子機器を説明する。図９は、第２の実施形態に係る音楽用電子機器の側面図である。図１０は、第２の実施形態に係る電子機器本体を、回転軸を中心として回動させた状態である。図１１は、第２の実施形態に係る音楽用電子機器を外部物品に装着した状態を示す図である。なお、第１の実施形態と同様の構成になる部分については、その詳細な説明を省略する。
【００４３】
連結部８は、クリップ部２を閉じた状態において、第１部材と第２部材とが離間するクリップ部２の反対の端部に接続している。そのため、本実施形態では、第１の実施形態と電子機器本体１の回動方向が異なる。
【００４４】
また、本実施形態において、回転軸は、第１の回転軸８１のみを有している。また、照明部９は、電子機器本体１において、連結部８と異なる端部に設けられている。本実施形態では、第１の実施形態と異なり、照明部９は、クリップ部２を閉じた状態において、第１部材と第２部材とが近接するクリップ部２の一端部に対向する位置に配置される。また、クリップ部２は、第１部材と第２部材とが板状に形成されている。
【００４５】
本実施形態の音楽用電子機器１００を外部物品に装着して使用する方法を説明する。図１１は、音楽用電子機器を外部物品に装着した状態を示す図である。
クリップ部２を外部物品である譜面台１０に装着する。合わせて、電子機器本体１を、回転軸８１を中心としてクリップ部２に対して、図１０に示すように９０度以下回動する。
【００４６】
この状態で、図１１に示すように、表示部３と譜面台に設置された譜面とを同時に視認することができる。また、この状態で、図１１に示すように、照明部９は譜面に光を照射することができる。
【００４７】
また、本発明に係る音楽用電子機器は、各実施形態に限定されない。すなわち、所定の情報を表示する表示部を表面に備えた電子機器本体と、電子機器本体を外部物品に装着するクリップ部と、電子機器本体を前記クリップ部の上面に連結する連結部とを備える音楽用電子機器において、連結部は、電子機器本体の一端部と接続し、電子機器本体の一端部と反対側の端部をクリップ部の上面から離間させる方向に回動可能とする回転軸を備え、電子機器本体は、光を照射する照明部を表面と異なる面に備え、照明部は、光源を有し、電子機器本体において連結部と接続する一端部と異なる部分に設けられていればよい。
【００４８】
例えば、調律装置に代えて、メトロノーム等の他の音楽用電子機器であってもよい。
また、照明部９は、出射面の角度を変更する可動部を有していてもよい。例えば、照明部９は、第１の回転軸と平行な回転軸を有し、その回転軸を中心に回動する。この場合、光源からの光の出射角を変化させ、照明方向を変更することができる。
【００４９】
また、電子機器本体１は、内蔵マイク、振動センサのいずれか一方のみを備える構成でもよい。また、振動センサは、電子機器本体１に内蔵されず、クリップ部２に内蔵されていてもよい。この場合、連結部８に振動センサと電子機器本体１とを電気的に接続する配線を備える。
【００５０】
また、照明部９の出射面は、電子機器本体１の表面側に傾斜していなくてもよい。この場合、電子機器本体１をクリップ部２に収納した状態において、照明部９がクリップ部２の第１部材の上面から突出している方が好ましい。これにより、照明部９の光の照射を行う位置がクリップ部２と重なることを抑制し、外部物品に光の照射を行うことができる。
【００５１】
また、照射部９の出射面が傾斜している場合、裏面に形成されている必要は必ずしもなく、例えば、表面と異なる面に設けられていてもよい。
また、連結部８は、クリップ部２の第１部材の一端部又は反対の端部に接続する必要はなく、例えば中央部に形成されてもよい。
【符号の説明】
【００５２】
１      電子機器本体
２      クリップ部
３      表示部
５      電源スイッチ
６      入力切替スイッチ
７      照明スイッチ
８      連結部
９      照明部
１０    譜面台（外部物品）
１１    楽器（外部物品）
８１    第１の回転軸
８２    第２の回転軸
１００  音楽用電子機器
【図１】
2014203035.tif 000003
【図２】
2014203035.tif 000004
【図３】
2014203035.tif 000005
【図４】
2014203035.tif 000006
【図５】
2014203035.tif 000007
【図６】
2014203035.tif 000008
【図７】
2014203035.tif 000009
【図８】
2014203035.tif 000010
【図９】
2014203035.tif 000011
【図１０】
2014203035.tif 000012
【図１１】
2014203035.tif 000013